(57)【要約】【課題】コンテンツ正規購入者による複製行為の制限を緩和しつつ、不正な複製行為に対する防御の強化を図れるとともに、メディアごとに複製可能な機器やその台数を制限したりすることのできるメディア複製装置を提供する。【解決手段】コンテンツデータが記録された主要な記録部と、記録が可能な無線ＩＣタグなどの補助的な記録部とを有する複製元のコンテンツメディアのコンテンツデータをブランクメディアに記録して複製処理を行うメディア複製装置であって、複製元のメディアの補助的な記録部がブランクならば、この補助的な記録部にメディア複製装置ごとに固有のデバイスＩＤを記録して複製処理を実行し、補助的な記録部にデバイスＩＤが記録済みならば、このデバイスＩＤを読み出して自メディア複製装置のデバイスＩＤと比較し、一致するなら複製処理を実行する。【選択図】図２
2005190548.tif 000002
【特許請求の範囲】
【請求項１】
コンテンツデータが記録された第１の記録部と、記録が可能な第２の記録部とを有する複製元のメディアの前記コンテンツデータをブランクメディアに記録して複製処理を行うメディア複製装置であって、
前記メディア複製装置ごとに固有の識別情報が記憶された記憶部と、
前記複製元のメディアの前記第２の記録部がブランクならばこの第２の記録部に前記記憶部に記憶されている識別情報を記録して前記複製処理の実行を許可し、前記第２の記録部に前記識別情報が記録済みならば、この識別情報を読み出して前記記憶部の識別情報と比較し、一致するなら前記複製処理の実行を許可する制御手段と
を具備することを特徴とするメディア複製装置。
【請求項２】
コンテンツデータと最大メディア複製装置台数の値が記録された第１の記録部と、記録が可能な第２の記録部とを有する複製元のメディアの前記コンテンツデータをブランクメディアに記録して複製処理を行うメディア複製装置であって、
前記メディア複製装置ごとに固有の識別情報が記憶された記憶部と、
前記複製元のメディアの前記第２の記録部に前記記憶部の識別情報と同じ識別情報が記録されているなら前記複製処理の実行を許可し、記録されていないなら、前記第２の記録部に記録された前記識別情報の数が前記最大メディア複製装置台数に達しているかどうかを判定し、達していなければ前記記憶部の識別情報を前記第２の記録部に記録するとともに前記複製処理の実行を許可する制御手段と
を具備することを特徴とするメディア複製装置。
【請求項３】
コンテンツデータと最大複製回数および最大メディア複製装置台数の各値が記録された第１の記録部と、記録が可能な第２の記録部とを有する複製元のメディアの前記コンテンツデータをブランクメディアに記録して複製処理を行うメディア複製装置であって、
前記メディア複製装置ごとに固有の識別情報が記憶された記憶部と、
前記複製処理ごとに、前記複製元のメディアの前記第２の記録部に前記最大複製回数を上限として累積の複製回数の値を記録するとともに、前記最大メディア複製装置台数を上限として前記記憶部の前記識別情報を記録し、前記第２の記録部に記録されている累積の複製回数が前記最大複製回数に達していない第１の条件と、前記第２の記録部に記録されている前記識別情報の数が前記最大メディア複製装置台数に達していない、もしくは、前記第２の記録部に前記記憶部の識別情報と同じ識別情報が記録されている第２の条件とが同時に成立したとき、前記複製処理の実行を許可する制御手段と
を具備することを特徴とするメディア複製装置。
【請求項４】
前記制御手段は、前記ブランクメディアに複製不可の属性を与えたコンテンツデータを記録するように制御する
ことを特徴とする請求項１ないし３のいずれか１項に記載のメディア複製装置。
【請求項５】
前記ブランクメディアは、コンテンツデータが記録可能な第１の記録部と記録が可能な第２の記録部とを有し、
前記制御手段は、前記ブランクメディアの前記第２の記録部に前記メディア複製装置において割り当てられることのないダミーの識別情報を複製不可の属性情報として記録する  ことを特徴とする請求項２に記載のメディア複製装置。
【請求項６】
前記ブランクメディアは、コンテンツデータが記録可能な第１の記録部と記録が可能な第２の記録部とを有し、
前記制御手段は、前記ブランクメディアの前記第２の記録部に前記最大複製回数の値以上の値を複製不可の属性情報として記録する
ことを特徴とする請求項３に記載のメディア複製装置。
【請求項７】
前記制御手段は、複製処理時、指定された条件に従って前記複製元のメディアの複製可能回数が前記ブランクメディアとの間で分配されるように、前記複製元のメディアと前記ブランクメディアの各第２の記録部の複製回数を編集するとともに、前記複製元のメディアの前記第２の記録部に記録されている識別情報を前記ブランクメディアの前記第２の記録部に記録するように制御を行う
ことを特徴とする請求項３に記載のメディア複製装置。
【発明の詳細な説明】
【技術分野】
【０００１】
本発明は、デジタルコンテンツが記録されたメディアからブランクメディアにコンテンツデータを記録するメディア複製装置に関するものである。
【背景技術】
【０００２】
近年、著作権の保護を目的として、ＣＤ（Compact Disc）やＤＶＤ（Digital Versatile Disc）などのメディアに記録されたデジタルコンテンツのコピーを制限する技術の重要度が増してきている。
【０００３】
ＤＶＤ規格では、著作権保護技術(コピーコントロール技術）として、再生専用のメディア用のＣＰＰＭ（Content Protection for Prerecorded Media）と、記録可能なメディア用のＣＰＲＭ（Content Protection for Recordable Media）が採用されている。いずれの方式も、メディア側に記録されたＭＫＢ（Media Key Block）と呼ばれる鍵束と、機器側に用意されているデバイスＩＤ（Identification）を用いて、暗号を解くために必要なメディア鍵を生成し、このメディア鍵によりコンテンツの暗号化を解いて再生を行う。また、メディアには、複製に関する情報として、複製の可否を示す情報、複製を認める場合であっても何度まで複製してよいかといった情報が記録されている。
【０００４】
ところで、メディアの殆どはコンテンツ作成者の権利保護を重視して複製を禁止されている。しかしながら、コンテンツを正規に購入した者は、その正規に取得したコンテンツの保護といった非営利の目的で複製を得ることを望んでいる場合が少なくない。ところが、このようなコンテンツ正規購入者の不満を軽減すべく１世代のみ複製を許すようにすると、コンテンツ正規購入者以外による不正な複製行為を防げなくなってしまう。
【０００５】
なお、著作権情報の複製の制限を複製回数で管理する手法は特許文献１などにも公開されている。
【特許文献１】特開２０００−１８２３２１号公報（段落００１６等）
【発明の開示】
【発明が解決しようとする課題】
【０００６】
上記のように、メディアに記録されているコンテンツの複製を禁止してしまうと、コンテンツ正規購入者による非営利目的の複製までも禁止され、コンテンツ正規購入者の権利が制限されてしまい、１世代のみの複製を可能としてしまうと、コンテンツ正規購入者以外による不正な複製行為を防げなくなってしまう、という問題があった。また、複製の制限は複製回数で管理する以外になく、メディアごとに複製可能な機器やその台数を制限することはできなかった。さらに、複数回の複製が許可されたメディアの複製可能な回数を複製先のメディアへ移したり分配することはできなかった。
【０００７】
本発明は、かかる実情に鑑み、コンテンツ正規購入者による複製行為の制限を緩和しつつ、不正な複製行為に対する防御の強化を図れるとともに、メディアごとに複製可能な機器やその台数を制限したり、複数回の複製が許可されたメディアの複製可能な回数を複製先のメディアへ移したり分配することのできるメディア複製装置を提供しようとするものである。
【課題を解決するための手段】
【０００８】
上記の課題を解決するために、第１の発明にかかるメディア複製装置は、コンテンツデータが記録された第１の記録部と、記録が可能な第２の記録部とを有する複製元のメディアの前記コンテンツデータをブランクメディアに記録して複製処理を行うメディア複製装置であって、前記メディア複製装置ごとに固有の識別情報が記憶された記憶部と、前記複製元のメディアの前記第２の記録部がブランクならばこの第２の記録部に前記記憶部に記憶されている識別情報を記録して前記複製処理の実行を許可し、前記第２の記録部に前記識別情報が記録済みならば、この識別情報を読み出して前記記憶部の識別情報と比較し、一致するなら前記複製処理の実行を許可する制御手段とを具備するものである。
【０００９】
この発明では、複製元のコンテンツメディアからみて最初に複製処理が行われたメディア複製装置では、その複製元のコンテンツメディアから何度でもブランクメディアへの複製処理を行うことができるが、その最初に複製処理が行われたメディア複製装置以外のメディア複製装置では、その複製元のコンテンツメディアからの複製処理は禁止されるという、メディア複製装置を限定した複製制限を実現することができる。
【００１０】
また、第２の発明にかかるメディア複製装置は、コンテンツデータと最大メディア複製装置台数の値が記録された第１の記録部と、記録が可能な第２の記録部とを有する複製元のメディアの前記コンテンツデータをブランクメディアに記録して複製処理を行うメディア複製装置であって、前記メディア複製装置ごとに固有の識別情報が記憶された記憶部と、前記複製元のメディアの前記第２の記録部に前記記憶部の識別情報と同じ識別情報が記録されているなら前記複製処理の実行を許可し、記録されていないなら、前記第２の記録部に記録された前記識別情報の数が前記最大メディア複製装置台数に達しているかどうかを判定し、達していなければ前記記憶部の識別情報を前記第２の記録部に記録するとともに前記複製処理の実行を許可する制御手段とを具備するものである。
【００１１】
この発明では、コンテンツメディアごとに、そのコンテンツメディアの複製処理が可能なメディア複製装置の台数を制限することができる。
【００１２】
また、第３の発明にかかるメディア複製装置は、コンテンツデータと最大複製回数および最大メディア複製装置台数の各値が記録された第１の記録部と、記録が可能な第２の記録部とを有する複製元のメディアの前記コンテンツデータをブランクメディアに記録して複製処理を行うメディア複製装置であって、前記メディア複製装置ごとに固有の識別情報が記憶された記憶部と、前記複製処理ごとに、前記複製元のメディアの前記第２の記録部に前記最大複製回数を上限として累積の複製回数の値を記録するとともに、前記最大メディア複製装置台数を上限として前記記憶部の前記識別情報を記録し、前記第２の記録部に記録されている累積の複製回数が前記最大複製回数に達していない第１の条件と、前記第２の記録部に記録されている前記識別情報の数が前記最大メディア複製装置台数に達していない、もしくは、前記第２の記録部に前記記憶部の識別情報と同じ識別情報が記録されている第２の条件とが同時に成立したとき、前記複製処理の実行を許可する制御手段とを具備するものである。
【００１３】
この発明によれば、コンテンツメディアごとに、そのコンテンツメディアの複製処理が可能なメディア複製装置とその台数、並びにコンテンツメディアの複製回数を制限することができる。
【００１４】
さらに、本発明のメディア複製装置において、前記制御手段は、前記ブランクメディアに複製不可の属性を与えたコンテンツデータを記録するように制御するものであってよい。ブランクメディアに複製不可の属性を与えるための別の手段としては、ブランクメディアとして、コンテンツデータが記録可能な第１の記録部と記録が可能な第２の記録部とを有するものを使用し、このブランクメディアの第２の記録部にメディア複製装置において割り当てられることのないダミーの識別情報を複製不可の属性情報として記録する方法がある。また、第２の発明および第３の発明においては、ブランクメディアの第２の記録部に最大複製回数の値以上の値を複製不可の属性情報として記録するようにしてもよい。
【００１５】
さらに、制御手段は、複製処理時、指定された条件に従って複製元のメディアの複製可能回数がブランクメディアとの間で分配されるように、複製元のメディアとブランクメディアの各第２の記録部の複製回数を編集するとともに、複製元のメディアの第２の記録部に記録されている識別情報をブランクメディアの第２の記録部に記録するように制御を行うようにしてもよい。
【００１６】
この発明によれば、コンテンツメディアに与えられている複製可能回数の一部を複製メディアに移し、複製メディアからの複製を行うことができる。
【発明の効果】
【００１７】
本発明のメディア複製装置によれば、コンテンツ正規購入者による複製行為の制限を緩和しつつ、不正な複製行為に対する防御の強化を図れるとともに、メディアごとに複製可能な機器やその台数を制限したり、複数回の複製が許可されたメディアの複製可能な回数を複製先のメディアへ移したり分配することができる。
【発明を実施するための最良の形態】
【００１８】
以下、本発明の実施の形態を図面に基づき説明する。
【００１９】
図１は本発明の実施形態にかかるメディア複製装置の構成を示す図である。
【００２０】
このメディア複製装置１００によって扱われるコンテンツメディア１０の主要な記録部１１には、コンテンツデータが物理的にまたは論理的に読み出し専用の属性を付加して記録されている。また、コンテンツメディア１０には、上記の読み出し専用のコンテンツデータが記録されている主要な記録部１１の他に、複製制限に関するデータの記録が可能な補助的な記録部１２が設けられている。
【００２１】
一方、このメディア複製装置１００によって複製先のメディアとして用いられるブランクメディア２０には、記録が可能な補助的な記録部のない追記もしくは書き換え型のメディアか、もしくは、コンテンツメディア１０と同様に、コンテンツデータの記録が可能な主要な記録部２１と、複製制限に関するデータの記録が可能な補助的な記録部２２とを有するものを用いることができる。
【００２２】
このようにコンテンツメディア１０およびブランクメディア２０の補助的な記録部１２，２２は、たとえば、メディアがディスクや磁気テープなどのメディアの場合、その一部に記録が可能な記録領域を設けることによって確保することが可能である。複数の記録層をもつディスクの場合には、個々の記録層をコンテンツデータ用の記録部と補助的な記録部とに分けて利用する方法もある。さらに、記録が可能なメモリ素子を有する無線ＩＣタグなども利用できる。無線ＩＣタグを用いる場合、コンテンツメディア１０とこれに装着された無線ＩＣタグとが対応するものであることをメディア複製装置が認識できる仕組みを設けることが望ましい。その対策として、無線ＩＣタグとコンテンツメディア１０とに同一のＩＤを記録しておく方法が考えられる。
【００２３】
本実施形態では、無線ＩＣタグをコンテンツメディア１０およびブランクメディア２０それぞれの補助的な記録部１２，２２として採用した場合について説明している。
【００２４】
本実施形態のメディア複製装置１００は、コンテンツメディア１０などのメディアの主要な記録部１１に記録されたデータを読み出すデータ読出部１と、このデータ読出部１によって読み出されたデータの、たとえば復調、復号、暗号解除、誤り訂正などの処理を行って再生データを復元するデータ再生部２と、データ再生部２により復元されたデータが一時的に蓄積されるバッファメモリ３と、バッファメモリ３に蓄積されたデータの暗号化、誤り訂正用のパリティの付加、符号化、変調などを行ってブランクメディア２０への記録用データを作成する記録データ作成部４と、記録データ作成部４により作成された記録用データをブランクメディア２０へ物理的に記録するデータ記録部５と、コンテンツメディア１０やブランクメディア２０に装着された無線ＩＣタグ１２，２２に対して複製制限に関する情報の読み書きを行うタグリード／ライト部６と、ユーザに複製処理に関する各種メッセージなどを表示したり、ユーザから複製処理に関する各種情報を入力するための表示／入力部７と、このメディア複製装置１００の全体的な制御を行う制御部８とを備えている構成される。制御部８は、ＣＰＵ（Central Processing Unit)と、ＣＰＵによって実行される処理手順やデバイスＩＤなどの各種の情報が記憶されたＲＯＭ（Read Only Memory）と、ＣＰＵの処理のための作業領域として用いられるＲＡＭ（Random Access Memory）とを備えて構成されている。
【００２５】
次に、このメディア複製装置１００でのメディア複製処理の流れを図２および図３を用いて説明する。
【００２６】
図２はメディア複製の具体例を示す図、図３は本発明の請求項１にかかるメディア複製時の処理の流れを示すフローチャートである。
【００２７】
図２において、一世代までの複製が可能なコンテンツメディア１０−１のコンテンツデータをブランクメディア２０−１に記録（コピー）する場合、まず、メディア複製装置１００（メディア複製装置Ａ）の制御部８は、コンテンツメディア１０−１の無線ＩＣタグ１２に自身のデバイスＩＤと同一のデバイスＩＤが記録されているか否かを調べる(ステップ３０１)。一度も複製のとられていないコンテンツメディア１０−１の無線ＩＣタグ１２にはデバイスＩＤが記録されていないので、処理はステップ３０２へ進む。
【００２８】
ステップ３０２で、メディア複製装置１００（メディア複製装置Ａ）の制御部８は、自身のデバイスＩＤを読み込み、これをタグリード／ライト部６によってコンテンツメディア１０−１の無線ＩＣタグ１２に記録するように制御を行う。この後、制御部８は、コンテンツメディア１０−１のコンテンツデータをブランクメディア２０−１に記録（コピー）する複製処理を行う。
【００２９】
この複製処理は、コンテンツメディア１０−１からコンテンツデータをデータ読出部１にて読み出し、データ再生部２にて暗号解除を通じてデータを復元し、復元されたデータから記録データ作成部４にて暗号化された記録用のデータを作成し、このデータをデータ記録部５を通してブランクメディア２０−１の主要な記録部２１に記録することによって行われる(ステップ３０３)。また、この際、ブランクメディア２０−１に複製不可の属性を与えるための情報が記録されることで、複製不可の複製メディア３０−１が得られる。
【００３０】
なお、無線ＩＣタグ２２を有するブランクメディア２０を用いた場合には、これに設けられている無線ＩＣタグ２２に、このメディア複製装置１００の機種において決して割り当てられることのないダミーのデバイスＩＤを記録することによって、複製メディア３０−１に複製不可の属性を与えるようにしてもよい。
【００３１】
一方、デバイスＩＤが無線ＩＣタグ１２に記録されたコンテンツメディア１０−１のコンテンツデータを別のブランクメディア２０−２に記録（コピー）しようとした場合、ステップ３０１で、コンテンツメディア１０−１の無線ＩＣタグ１２にデバイスＩＤが既に記録されていることが判断され(ステップ３０１のＹＥＳ)、処理はステップ３０４に移行する。
【００３２】
ステップ３０４では、メディア複製装置１００のデバイスＩＤとコンテンツメディア１０−１の無線ＩＣタグ１２から読み出したデバイスＩＤとの比較が行われ、両デバイスＩＤが一致している場合には(ステップ３０４のＹＥＳ)、ステップ３０３へ移行して複製処理が行われ、不一致の場合は(ステップ３０４のＮＯ)、複製を禁止する処理が行われる。
【００３３】
したがって、この実施形態では、複製元のコンテンツメディア１０からみて最初に複製処理が行われたメディア複製装置１００（メディア複製装置Ａ）では、その複製元のコンテンツメディア１０から何度でもブランクメディア２０への複製処理を行うことができるが、その最初に複製処理が行われたメディア複製装置１００（メディア複製装置Ａ）以外のメディア複製装置では、その複製元のコンテンツメディア１０からの複製処理は禁止されるというメディア複製装置１００を限定した複製制限を実現することができる。
【００３４】
なお、本実施形態の複製制限機能を持たない他機種のメディア複製装置では、一世代までの複製が可能なコンテンツメディア１０が、複製はできない再生専用メディアとして扱われるような仕組みを設けることが望ましい。
【００３５】
次に、本発明の請求項２にかかる第２の実施形態を説明する。
【００３６】
この第２の実施形態は、コンテンツメディア１０ごとに、そのコンテンツメディア１０の複製処理が可能なメディア複製装置１００の台数を制限できるものである。
【００３７】
図４は、この第２の実施形態のメディア複製処理の流れを示すフローチャートである。
【００３８】
複製元のコンテンツメディア１０の主要な記録部１１には、コンテンツデータとともに複製処理を許可するメディア複製装置１００の最大台数（最大複製機器台数Ｎ）の値が記録されている。
【００３９】
このコンテンツメディア１０のコンテンツデータをブランクメディア２０に記録（コピー）する場合、まず、メディア複製装置１００の制御部８は、コンテンツメディア１０から最大複製機器台数Ｎの値を読み込む(ステップ４０１)。続いて、制御部８は、コンテンツメディア１０の無線ＩＣタグ１２に自身のデバイスＩＤと一致するデバイスＩＤが記録されているかどうかを調べる(ステップ４０２)。一致するデバイスＩＤが記録されている場合には(ステップ４０２のＹＥＳ)、そのコンテンツメディア１０のコンテンツデータをブランクメディア２０に記録（コピー）する(ステップ４０５)。このとき、ブランクメディア２０に複製不可の属性を与えるための情報が記録されることで、複製不可の複製メディアが得られる。
【００４０】
また、コンテンツメディア１０の無線ＩＣタグ１２に自身のデバイスＩＤと一致するデバイスＩＤが記録されていない場合には(ステップ４０２のＮＯ)、ステップ４０３に移行する。ステップ４０３で、メディア複製装置１００の制御部８は、コンテンツメディア１０の無線ＩＣタグ１２に記録されているデバイスＩＤの数が最大複製機器台数Ｎに達しているかどうかを判断し、デバイスＩＤの数が最大複製機器台数Ｎに達している場合には(ステップ４０３のＮＯ)、複製処理を終了する。
【００４１】
コンテンツメディア１０の無線ＩＣタグ１２に記録されているデバイスＩＤの数が最大複製機器台数Ｎの値に達していなければ(ステップ４０３のＹＥＳ)、メディア複製装置１００のデバイスＩＤをコンテンツメディア１０の無線ＩＣタグ１２に記録し(ステップ４０４)、コンテンツメディア１０のコンテンツデータをブランクメディア２０に記録（コピー）する(ステップ４０５)。
【００４２】
このように、この実施形態では、コンテンツメディア１０ごとに、そのコンテンツメディア１０の複製処理が可能なメディア複製装置１００の台数を制限することができる。
【００４３】
次に、本発明の請求項３にかかる第３の実施形態を説明する。
【００４４】
この第３の実施形態は、コンテンツメディア１０ごとに、そのコンテンツメディア１０の複製処理が可能な異なるメディア複製装置１００の台数と、そのコンテンツメディア１０を複製できる回数を制限するようにしたものである。
【００４５】
図５は、この第３の実施形態のメディア複製処理の流れを示すフローチャートである。
【００４６】
複製元のコンテンツメディア１０の主要な記録部１１には複製処理を許可するメディア複製装置１００の最大台数（最大複製機器台数Ｎ）の値と複製可能な回数（最大複製回数Ｍ）の値が記録されている。
【００４７】
コンテンツメディア１０のコンテンツデータをブランクメディア２０に記録（コピー）する場合、まず、メディア複製装置１００の制御部８は、コンテンツメディア１０から最大複製機器台数Ｎと最大複製回数Ｍの各値を読み込む(ステップ６０１)。
【００４８】
続いて、メディア複製装置１００の制御部８は、コンテンツメディア１０の無線ＩＣタグ１２から現時点の複製回数Ｌの値を読み込み、この複製回数Ｌが最大複製回数Ｍに達しているかどうかを確認する(ステップ６０２)。複製回数Ｌが最大複製回数Ｍに達しているならば(ステップ６０２のＮＯ)、今回の複製処理は許可されないものであるとして、複製処理を終了する。
【００４９】
複製回数Ｌが最大複製回数Ｍに達していない場合には(ステップ６０２のＹＥＳ)、コンテンツメディア１０の無線ＩＣタグ１２に自身のデバイスＩＤと一致するデバイスＩＤが記録されているかどうかを調べる(ステップ６０３)。一致するデバイスＩＤが記録されている場合には(ステップ６０３のＹＥＳ)、ステップ６０６へ移行し、現時点の複製回数Ｌに１を加えた値でコンテンツメディア１０の無線ＩＣタグ１２に記録内容を更新し(ステップ６０６)、コンテンツメディア１０のコンテンツデータをブランクメディア２０に記録（コピー）する(ステップ６０７)。このとき、ブランクメディア２０に複製不可の属性を与えるための情報が記録されることで、複製不可の複製メディアが得られる。
【００５０】
また、ステップ６０３で、コンテンツメディア１０の無線ＩＣタグ１２に自身のデバイスＩＤと一致するデバイスＩＤが記録されていない場合には(ステップ６０３のＮＯ)、ステップ６０４に移行する。ステップ６０４で、メディア複製装置１００の制御部８は、コンテンツメディア１０の無線ＩＣタグ１２に記録されているデバイスＩＤの数が最大複製機器台数Ｎの値に達しているかどうかを判断し（ステップ６０４）、デバイスＩＤの数が最大複製機器台数Ｎの値に達している場合には(ステップ６０４のＮＯ)、自メディア複製装置１００は複製処理を許可されないものであるとして、複製処理を終了する。
【００５１】
また、コンテンツメディア１０の無線ＩＣタグ１２に記録されているデバイスＩＤの数が最大複製機器台数Ｎの値に達していなければ(ステップ６０４のＹＥＳ)、自メディア複製装置１００のデバイスＩＤをコンテンツメディア１０の無線ＩＣタグ１２に記録する(ステップ６０５)。この後、現時点の複製回数Ｌに１を加えた値でコンテンツメディア１０の無線ＩＣタグ１２に記録内容を更新し(ステップ６０６)、コンテンツメディア１０のコンテンツデータをブランクメディア２０に記録（コピー）する(ステップ６０７)。このとき、ブランクメディア２０に複製不可の属性を与えるための情報が記録されることで、複製不可の複製メディアが得られる。
【００５２】
このように、この実施形態では、コンテンツメディア１０ごとに、そのコンテンツメディア１０の複製処理が可能なメディア複製装置１００の台数と、そのコンテンツメディア１０を複製できる回数を制限することができる。
【００５３】
なお、この第３の実施形態では、コンテンツメディア１０の無線ＩＣタグ１２に記録されている複製回数Ｌが最大複製回数Ｍに達していないという第１の条件と、無線ＩＣタグ１２に記録されているデバイスＩＤの数が最大複製機器台数Ｎに達していない、もしくは、無線ＩＣタグ１２に自身のデバイスＩＤと同じデバイスＩＤが記録されているという第２の条件とが同時に成立したとき、複製処理の実行を許可するようにしたが、その変形例として次のように構成することも可能である。
【００５４】
コンテンツメディア１０の無線ＩＣタグ１２に一つのデバイスＩＤだけを記録可能としておく。コンテンツメディア１０の無線ＩＣタグ１２にデバイスＩＤが記録されていなければ、自メディア複製装置１００自身のデバイスＩＤを記録して複製処理の実行を許可し、この複製処理ごとに無線ＩＣタグ１２に累積の複製回数Ｌの値を記録して行き、その複製回数Ｌが最大複製回数Ｍに達しておらず、かつ、無線ＩＣタグ１２に自メディア複製装置１００自身のデバイスＩＤと同一のデバイスＩＤが記録されている場合に、複製処理の実行を許可するようにする。
【００５５】
これにより、コンテンツメディア１０の複製処理が可能なメディア複製装置１００とその複製回数を制限することができる。
【００５６】
次に、本発明の請求項７にかかる第４の実施形態を説明する。
【００５７】
この第４の実施形態は、コンテンツメディア１０に与えられている複製可能回数を複製メディアに移したり分配することを可能としたものである。
【００５８】
図６は、この第４の実施形態のメディア複製処理の流れを示すフローチャートである。
【００５９】
複製元のコンテンツメディア１０の主要な記録部１１には複製処理を許可するメディア複製装置１００の最大台数（最大複製機器台数Ｎ）の値と複製可能な回数（最大複製回数Ｍ）の値が記録されている。
【００６０】
コンテンツメディア１０のコンテンツデータをブランクメディア２０に記録（コピー）する場合、まず、メディア複製装置１００の制御部８は、コンテンツメディア１０から最大複製機器台数Ｎと最大複製回数Ｍの各値を読み込む(ステップ７０１)。
【００６１】
続いて、メディア複製装置１００の制御部８は、コンテンツメディア１０の無線ＩＣタグ１２から現時点の複製回数Ｌの値を読み込み、この複製回数Ｌが最大複製回数Ｍに達しているかどうかを確認する(ステップ７０２)。複製回数Ｌが最大複製回数Ｍに達しているならば(ステップ７０２のＮＯ)、今回の複製処理は許可されないものであるとして、複製処理を終了する。
【００６２】
複製回数Ｌが最大複製回数Ｍに達していない場合には(ステップ７０２のＹＥＳ)、続いて、コンテンツメディア１０の無線ＩＣタグ１２に自身のデバイスＩＤと一致するデバイスＩＤが記録されているかどうかを調べる(ステップ７０３)。一致するデバイスＩＤが記録されている場合には(ステップ７０３のＹＥＳ)、ステップ７０６へ移行し、コンテンツメディア１０の無線ＩＣタグ１２に自身のデバイスＩＤと一致するデバイスＩＤが記録されていない場合には(ステップ７０３のＮＯ)、ステップ７０４に移行する。
【００６３】
ステップ７０４では、メディア複製装置１００の制御部８は、コンテンツメディア１０の無線ＩＣタグ１２に記録されているデバイスＩＤの数が最大複製機器台数Ｎの値に達しているかどうかを判断し（ステップ７０４）、デバイスＩＤの数が最大複製機器台数Ｎの値に達している場合には(ステップ７０４のＮＯ)、自メディア複製装置１００は複製処理を許可されないものであるとして、複製処理を終了する。
【００６４】
また、コンテンツメディア１０の無線ＩＣタグ１２に記録されているデバイスＩＤの数が最大複製機器台数Ｎの値に達していなければ(ステップ７０４のＹＥＳ)、自メディア複製装置１００のデバイスＩＤをコンテンツメディア１０の無線ＩＣタグ１２に記録する(ステップ７０５)。この後、ステップ７０４に移行する。
【００６５】
ステップ７０６では、メディア複製装置１００の制御部８は、メディア複製装置１００に装填されたブランクメディア２０が無線ＩＣタグ２２が付いたタイプのものであるかどうかを、たとえば、タグリード／ライト部６を通じて調べる。
【００６６】
無線ＩＣタグ２２が付いたブランクメディア２０である場合には、以下のように、コンテンツメディア１０からブランクメディア２０へ複製可能回数を移したり分配する処理を行う。
【００６７】
まず、メディア複製装置１００の制御部８は、表示／入力部７の表示部を通じて、コンテンツメディア１０からブランクメディア２０へ移す複製可能回数Ｐ’をユーザに問い合わせる（ステップ７０７）。このとき、ユーザが指示できる複製可能回数Ｐ’は、
【００６８】
０≦Ｐ’≦（最大複製回数Ｍ）−（複製回数Ｌ）−１
の範囲内となる。ユーザは表示／入力部７の入力部を通じて上記範囲内の複製可能回数Ｐ’の値を入力する。
【００６９】
メディア複製装置１００の制御部８は、表示／入力部７の入力部を通じてユーザより入力された複製可能回数Ｐ’の値を取得し（ステップ７０８）、コンテンツメディア１０の無線ＩＣタグ１２内の複数回数を（Ｌ＋１＋Ｐ’）の値に更新する（ステップ７０９）。この後、制御部８は、ブランクメディア２０の無線ＩＣタグ２２に複製回数としてＰ＝Ｍ−Ｐ’の値を記録する（ステップ７１０）。
【００７０】
この後、制御部８は、コンテンツメディア１０の無線ＩＣタグ１２に記録されているすべてのデバイスＩＤをブランクメディア２０の無線ＩＣタグ２２に記録する（ステップ７１１）。最後に、コンテンツメディア１０のコンテンツデータを最大複製機器台数Ｎおよび最大複製回数Ｍとともにブランクメディア２０に記録（コピー）する(ステップ７１３)。
【００７１】
また、ステップ８０６で、無線ＩＣタグ２２の付いていないブランクメディア２０が判定された場合には、コンテンツメディア１０の無線ＩＣタグ１２に記録されている複製回数を（Ｌ＋１）に更新した後（ステップ７１２）、ステップ７１３にて、コンテンツメディア１０のコンテンツデータを最大複製機器台数Ｎおよび最大複製回数Ｍとともにブランクメディア２０に記録（コピー）する。
【００７２】
図７は、コンテンツメディア１０の複製可能回数をブランクメディア２０に分配する具体例を示している。
【００７３】
複製元のコンテンツメディア１０の最大複製回数Ｍは”５”とする。このコンテンツメディア１０のコンテンツデータをブランクメディア２０−１にコピーする際、たとえば、ブランクメディア２０−１に複製可能回数Ｐ’として”４”を移したとする。これにより、複製メディア３０−１の無線ＩＣタグ２２には、複製回数の値として”１”が記録され、あと４回の複製が可能な複製メディア３０−１が得られる。また、コンテンツメディア１０の無線ＩＣタグ１２には、複製回数の値として”５”が記録されることで、コンテンツメディア１０は複製不可なコンテンツメディアとなる。
【００７４】
複製メディア３０−１のコンテンツデータを別のブランクメディア２０−２に複製可能回数Ｐ’を移さずにコピーすると、複製メディア３０−１の複製回数の値が”２”に更新される。さらに、別のブランクメディア２０−３に複製メディア３０−１のコンテンツデータをコピーする際に、たとえば、ブランクメディア２０−３に複製可能回数Ｐ’として”１”を移したとすると、複製メディア３０−１の複製回数の値は”４”に更新され、あと１回の複製のみが可能な複製メディア３０−１となる。一方、複製メディア３０−３の無線ＩＣタグ１２には複製回数の値として”４”が記録され、１回の複製のみが可能な複製メディア３０−３となる。
【００７５】
したがって、この具体例では、最終的に、複製元のコンテンツメディア１０から、５枚の複製メディア３０−１，３０−２，３０−３，３０−４，３０−５が作製されることになる。これらの複製メディア３０−１，３０−２，３０−３，３０−４，３０−５の無線ＩＣタグ２２には、コンテンツメディア１０の無線ＩＣタグ１２に記録されているすべてのデバイスＩＤが記録されるので、これらの複製メディア３０−１，３０−２，３０−３，３０−４，３０−５についても複製が可能なメディア複製装置の制限が与えられることになる。
【００７６】
なお、複製可能回数のブランクメディアへの分配においては、複製メディアに複製が可能なメディア複製装置の制限を与えないようにしてもよい。すなわち、複製回数だけで複製制限を行う。
【００７７】
この場合、ステップ７０１のコンテンツメディア１０から最大複製機器台数Ｎを読み込む処理、ステップ７０３のデバイスＩＤの比較、ステップ７０４のデバイスＩＤの数と最大複製機器台数Ｎとの比較、ステップ７０５のデバイスＩＤのコンテンツメディア１０への記録、ステップ７１１のデバイスＩＤのブランクメディア２０への記録の各処理が省かれ、その他の処理の内容は図７と同様である。
【００７８】
ところで、コンテンツ所有者（使用権利者）が変わった場合や、複製に使用したメディア複製装置、残りの複製可能回数などが不明となった場合に備え、この実施形態のメディア複製装置１００には、メディアに記録されている最大複製機器台数Ｎや最大複製回数Ｍ、無線ＩＣタグに記録されている複製回数、デバイスＩＤやその数を、表示／入力部７の表示部に表示したり、音声で出力する機能を備えている。
【００７９】
尚、本発明は、上述の実施形態にのみ限定されるものではなく、本発明の要旨を逸脱しない範囲内において種々変更を加え得ることは勿論である。
【００８０】
たとえば、本発明は、メディア複製機能を備えた再生装置として構成することも可能である。
【図面の簡単な説明】
【００８１】
【図１】本発明の実施形態にかかるメディア複製装置の構成を示す図である。
【図２】メディア複製の具体例を示す図である。
【図３】第１の実施形態のメディア複製処理の流れを示すフローチャートである。
【図４】第２の実施形態のメディア複製処理の流れを示すフローチャートである。
【図５】第３の実施形態のメディア複製処理の流れを示すフローチャートである。
【図６】第４の実施形態のメディア複製処理の流れを示すフローチャートである。
【図７】コンテンツメディアの複製可能回数をブランクメディアに分配する具体例を示す図である。
【符号の説明】
【００８２】
１・・・データ読出部、２・・・データ再生部、３・・・バッファメモリ、４・・・記録データ作成部、５・・・データ記録部、６・・・タグリード／ライト部、７・・・表示／入力部、８・・・制御部、１０・・・コンテンツメディア、１１・・コンテンツメディアの・主要な記録部、１２・・・コンテンツメディアの補助的な記録部（無線ＩＣタグ）２０・・・ブランクメディア、２１・・・ブランクメディアの主要な記録部、２２・・・ブランクメディアの補助的な記録部（無線ＩＣタグ）、１００・・・メディア複製装置。
【図１】
2005190548.tif 000003
【図２】
2005190548.tif 000004
【図３】
2005190548.tif 000005
【図４】
2005190548.tif 000006
【図５】
2005190548.tif 000007
【図６】
2005190548.tif 000008
【図７】
2005190548.tif 000009